(57)【要約】【課題】  ４隅を貼って成型した角形容器において、容器を積み重ねしたときに、取り出しやすくすると共に、ラップで包装した場合の容器変形を抑える。【解決手段】  角形の底板の外縁に連接して角形環状の側板を一体形成した紙素材で、側板の少なくとも、対向する二つの側板の上辺に延在した折曲片を外側に折返して、側板外面に接着して、なおかつ、折返した側部外面の端部が、底板の最下部より下に突設することによって、容器の積み重ねをしたときに容器内の底板部に設置することで積み重ね容器間に隙間を作るとともに容器を据え置くときに安定させる。また、容器に剛性を付与し、変形を抑止する。【選択図】  図１
2006103742.tif 000002
【特許請求の範囲】
【請求項１】
一枚の紙葉を折り曲げ、底板の周囲に側板を起立形成した紙製容器において、底部より起立する側板の上辺に延在した折曲片を外側に折返して、側板外面に接着するとともに、この折曲片の端部を容器底部より下向きに張り出し突設させてなる紙製角形容器。
【請求項２】
前記容器の内面となる紙素材の一面に、ポリプロピレン、ポリブチレンテレフタレート、ポリエチレンテレフタレート、ポリエチレン、ポリメチルペンテン、および植物原料をもととする樹脂、から成る群より選択される樹脂による耐水皮膜樹脂層を被着してなる請求項１に記載の紙製角形容器。
【請求項３】
前記紙素材に紙坪量として２４０〜５００ｇ／ｍ2の用紙を使用してなる請求項１と請求項２に記載の紙製角形容器。
【請求項４】
前記紙素材に紙厚さとして２７０〜１０００μｍの用紙を使用してなる請求項１〜３に記載の紙製角形容器。
【発明の詳細な説明】
【技術分野】
【０００１】
本発明は、ケーキ菓子やグラタンなどの食品類を紙容器に入れさらに、収納と運搬し易くした底板・側板一体形成の紙製角形容器に関するものである。
【背景技術】
【０００２】
紙容器は、リサイクル性や、燃えるごみとしての処理、ごみの減量についてプラスチック容器より処理しやすく、容器としての使用について注目されている。しかし、プラスチック容器に比べ、容器の価格が高く、また容器そのものの剛性や積み重ねした時の取り出しにくさの問題点があり、その使用用途は、消費者の希望するものより少なく、用途も限定されていた。
４隅を貼って成型した角形容器は、紙容器の中では、価格の安いものであるが、前述のように、多数の容器を重合重積（スタッキング）する際に、相似形の同一構造容器が隙間なく重なることで、取り出しが悪く作業効率が悪かった。さらに、容器底部が紙容器のため、容器内に入れるものの重量に応じてたわみ、平坦なはずの底面が湾曲し、平板上のものの上に置くときに安定が悪くなり問題であった。さらに、フィルムによりラッピングする際にラッピングしたフィルムの、収縮力により特に熱い内容物を入れた容器は持ち運びできないという本質的な問題点が有った。
【０００３】
この種の紙製角皿容器としては、従来、例えば特許文献１記載のものが有った。この特許文献１による技術は、一枚の紙業を折り曲げることで、底板の周囲に側板を起立形成した紙製皿容器を構成するに当り、側板の少なくとも、対向する二つの側板の上辺に延在した折曲片を外側に折返して側板外面に接着して、連設した把持片を横向きに折曲して水平の把持片として使用するものである。
【０００４】
ところが積み重ねやスタッキングの際に、把持片はストッパーとして機能するものの、取り出しが悪く作業効率が悪い。さらに、容器底部が容器内に入れるものの重量に応じてたわみ、底面が湾曲し、平板上のものの上に置くときに、安定が悪くなる問題は改善できていない。さらに、フィルムによりラッピングする際にラッピングしたフィルムの、収縮力により特に熱い内容物を入れた容器は持ち運びできないという本質的な問題点が残っている。
【０００５】
【特許文献１】特開２００２−１２８０５７号公報
【発明の開示】
【発明が解決しようとする課題】
【０００６】
４隅を貼って成型した角形容器において、容器を積み重ねしたときに、取り出しやすくすると共に、ラップで包装した場合の容器変形を抑える。
【課題を解決するための手段】
【０００７】
本発明は、前記課題を解決するため以下の（１）〜（４）の発明から構成される。
（１）一枚の紙葉を折り曲げ、底板の周囲に側板を起立形成した紙製容器において、底部より起立する側板の上辺に延在した折曲片を外側に折返して、側板外面に接着するとともに、この折曲片の端部を容器底部より下向きに張り出し突設させてなる紙製角形容器
（２）前記容器の内面となる紙素材の一面にポリプロピレン、ポリブチレンテレフタレート、ポリエチレンテレフタレート、ポリエチレン、ポリメチルペンテン、および植物原料をもととする樹脂、から成る群より選択される樹脂による耐水皮膜樹脂層を被着してなる（１）項に記載の紙製角形容器
（３）前記紙素材に紙坪量として２４０〜５００ｇ／ｍ２の用紙を使用してなる（１）項と（２）項に記載の紙製角形容器
（４）前記紙素材に紙厚さとして２７０〜１０００μｍの用紙を使用してなる（１）項〜（３）項に記載の紙製角形容器
【発明の効果】
【０００８】
角形の底板の外縁に連接して角形環状の側板を一体形成した紙素材で、側板の少なくとも、対向する二つの側板の上辺に延在した折曲片を外側に折返して側板外面に接着して、なおかつ、折返した側部外面の端部が、底板の最下部より下に突設することによって、容器の積み重ねをしたときに容器内の底板部に設置することで積み重ね容器間に隙間を作るとともに容器を据え置くときに安定させることができた。また、容器に剛性を付与し、変形を抑止することが可能となった。
【発明を実施するための最良の形態】
【０００９】
実施の形態例について図面を参照して説明する。先ずこの発明の基本構成は、ポリプロプレン、ポリブチレンテレフタレート、ポリエチレンテレフタレート、ポリエチレン、ポリメチルペンテン、および植物原料をもととする樹脂による耐水皮膜樹脂層を被着してなる一枚の紙葉であり、さらに、紙坪量として２４０〜５００ｇ／ｍ2の用紙を使用、また紙厚さとして２７０〜１０００μｍの用紙を使用する。
この紙を折り曲げることで、底板の周囲に側板を起立形成し紙製の容器となす。さらにこのとき、底部より起立する側板の上辺に延在した折曲片を外側に折返して側板外面に接着するとともに、この折曲げ片の端部を容器底部より下向きに張り出し突設させる。
【００１０】
この発明の目的は、一枚の紙葉を折り曲げることで底板の周囲に側板を起立形成した紙製容器を構成するに当たり、角形の底板の外縁に連接する側板の少なくとも、対向する二つの側板の上辺に延在した折曲片を外側に折返して側板外面に接着して、なおかつ、折返した側部外面の端部が、底板の最下部より下に突設することによって、容器の積み重ねをしたときに容器内の底板部に設置することで積み重ね容器間に隙間を作るとともに容器を据え置くときに安定させる。また、容器に剛性を付与し、変形を抑止するものである。
【００１１】
発明者は、前述の問題点を検討し、角形の底板の外縁に連接して角形環状の側板を一体形成した紙素材で側板の少なくとも、対向する二つの側板の上辺に延在した折曲片を外側に折返して側板外面に接着して、なおかつ、折返した側部外面の端部が、底板の最下部より下に突設することによって、容器の積み重ねをしたときに容器内の底板部に設置することで積み重ね容器間に隙間を作るとともに容器を据え置くときに安定させることを見出した。さらに、また、折曲片を外側に折返して側板外面に接着することで用紙の厚さを倍加させ、容器に剛性を付与し、変形を抑止することを達成した。
【００１２】
さらに、使用する原紙についても検討し、前記容器の内面となる紙素材の一面に、ポリプロプレン、ポリブチレンテレフタレート、ポリエチレンテレフタレート、ポリエチレン、ポリメチルペンテン、および植物原料をもととする樹脂による耐水皮膜樹脂層を被着して耐水性能を付与し、また、紙素材に紙坪量として２４０〜５００ｇ／ｍ2の用紙を使用して、より強い剛性を達成することをことを見出した。また、紙素材に紙厚さは２７０〜１０００μｍの用紙が良好であることを見出した。
【００１３】
紙の剛性は紙厚さの３乗に比例するとされており、また、使用する紙は重量が重くなるほど厚く、また強度が増すことが知られている。発明者は一枚の紙葉を折り曲げ、底板の周囲に側板を起立形成した紙製容器において、容器に剛性を付与させるには、前述した範囲の紙を使用することが、成型加工性、作業性を有して容器に剛性を付与し、変形を抑止することとなることを見出した。
【００１４】
したがって、底板と四枚の側板とで囲まれた本発明による容器中へ重いものを入れてもなおかつ、折返した側部外面の端部が、底板の最下部より下に突設することによって、容器の積み重ねをしたときに容器内の底板部に設置することで積み重ね容器間に隙間を作るとともに容器を据え置くときに安定させ、また、容器に剛性を付与し、変形を抑止することが出来るのである。
【実施例１】
【００１５】
図に示す展開図の角形の底板の外縁に連接して角形環状の側板を一体形成した紙素材で、側板の少なくとも、対向する二つの側板の上辺に延在した折曲片を外側に折返して側板外面に接着して、なおかつ、折返した側部外面の端部が、底板の最下部より下に突設させて、底板より下に下駄上の足を設置した。
底板の平面形状は、各図のような長方形に限らず、正方形とか六角形や八角形などとしても良く、このように分割数を多くすることでより一層円形に近い容器となり、側板の外側に突出する折曲げ片の形状は、低部より下に突出させればその形状は自由で、より深い（または浅い）紙製角形容器とすることもできる。
【産業上の利用可能性】
【００１６】
本発明は、スタッキング適性が向上した底板・側板一体形成の紙製角形容器として利用できる。
【図面の簡単な説明】
【００１７】
【図１】この発明による紙製角形容器の一例を示す斜視図である。
【図２】従来の紙製角形容器の一例を示す斜視図である。
【図３】図１に示す紙製角形容器の展開図である。
【符号の説明】
【００１８】
１  底板
２  底板の外縁
３  側板
４  側板折り返し板
突片
【図１】
2006103742.tif 000003
【図２】
2006103742.tif 000004
【図３】
2006103742.tif 000005